【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
ページを区切るページ区切り位置及び係合孔が設けられた連続用紙の前記係合孔に係合される係合部を有して前記連続用紙を搬送するトラクターと、前記トラクターの搬送方向の下流側に設けられた紙送りローラーを有し、
前記連続用紙の１のページへの印刷中、前記紙送りローラーの搬送力で前記連続用紙を搬送して、前記紙送りローラーの回転量に基づいて前記連続用紙の搬送量を制御し、
前記１のページへの印刷が終了した後、前記トラクターの動きに基づき、前記１のページに続く次のページの印刷開始位置と印刷位置との距離が予め設定した基準寸法になる基準搬送位置に前記連続用紙が到達するまで前記連続用紙を搬送し、
前記基準搬送位置に到達した後、前記次のページの印刷開始位置が前記印刷位置に到達するまでの残り搬送区間の目標送り量を設定し、前記目標送り量に従って前記連続用紙を搬送する頭出し処理を行うことを特徴とする連続用紙の搬送制御方法。
【請求項２】
前記残り搬送区間における前記連続用紙の搬送量を、前記トラクターの動きに基づいて制御する請求項１に記載の連続用紙の搬送制御方法。
【請求項３】
前記残り搬送区間における前記連続用紙の搬送量を、前記紙送りローラーの回転量に基づいて制御する請求項１に記載の連続用紙の搬送制御方法。
【請求項４】
前記目標送り量に従って前記残り搬送区間の前記連続用紙の搬送を行った後に、前記残り搬送区間の前記連続用紙の実送り量を前記トラクターの動きに基づいて算出し、前記実送り量と前記目標送り量との差分を算出し、
算出された前記差分に基づいて前記目標送り量を補正する請求項３に記載の連続用紙の搬送制御方法。
【請求項５】
印刷位置で印刷を行う印刷ヘッドと、
ページを区切るページ区切り位置及び係合孔が設けられた連続用紙の前記係合孔に係合される係合部を有し、前記印刷位置を経由する搬送経路に沿って前記連続用紙を搬送するトラクターと、
前記トラクターの動きを検出するトラクター送り量検出手段と、
前記トラクターの搬送方向の下流側に設けられる紙送りローラーと、
前記紙送りローラーの回転量を検出するローラー送り量検出手段と、
前記ローラー送り量検出手段の検出信号に基づいて前記連続用紙の搬送量を制御し、前記紙送りローラーの搬送力で搬送される前記連続用紙の１のページに前記印刷ヘッドでの印刷を制御する印刷制御手段と、
前記１のページへの印刷が終了した後、前記トラクター送り量検出手段からの信号に基づいて前記１のページに続く次のページの印刷開始位置と前記印刷位置との距離が予め設定した基準寸法になる基準搬送位置に前記連続用紙が到達するまで前記連続用紙を搬送させ、前記基準搬送位置に前記連続用紙が到達した後、前記次のページの印刷開始位置が前記印刷位置に到達するまでの残り搬送区間の目標送り量を設定し、前記目標送り量に従って前記連続用紙を搬送させる頭出し制御手段と、
を有することを特徴とするプリンター。
【請求項６】
前記頭出し制御手段は、
前記残り搬送区間の前記連続用紙の搬送量を、前記トラクター送り量検出手段からの信号に基づいて制御する請求項５に記載のプリンター。
【請求項７】
前記頭出し制御手段は、
前記残り搬送区間の前記連続用紙の搬送量を、前記ローラー送り量検出手段からの信号に基づいて制御する請求項５に記載のプリンター。
【請求項８】
前記頭出し制御手段は、
前記目標送り量に基づいて前記残り搬送区間の前記連続用紙の搬送を行った後に、前記残り搬送区間の前記連続用紙の実送り量を前記トラクター送り量検出手段からの信号に基づいて算出し、前記実送り量と前記目標送り量との差分を算出し、
算出された前記差分に基づいて前記目標送り量を補正する請求項７に記載のプリンター。
【手続補正２】
【補正対象書類名】明細書
【補正対象項目名】０００８
【補正方法】変更
【補正の内容】
【０００８】
上記の課題を解決するために、本発明は、
ページを区切るページ区切り位置及び係合孔が設けられた連続用紙の前記係合孔に係合される係合部を有して前記連続用紙を搬送するトラクターと、前記トラクターの搬送方向の下流側に設けられた紙送りローラーを有し、
前記連続用紙の１のページへの印刷中、前記紙送りローラーの搬送力によって前記連続用紙を搬送して、前記紙送りローラーの回転量に基づいて前記連続用紙の搬送量を制御し、
前記１のページへの印刷が終了した後、前記トラクターの動きに基づき、前記１のページに続く次のページの印刷開始位置と印刷位置との距離が予め設定した基準寸法になる基準搬送位置に前記連続用紙が到達するまで前記連続用紙を搬送し、前記基準搬送位置に到達した後、前記次のページの印刷開始位置が前記印刷位置に到達するまでの残り搬送区間の目標送り量を設定し、前記目標送り量に従って前記連続用紙を搬送する頭出し処理を行うことを特徴としている。
【手続補正３】
【補正対象書類名】明細書
【補正対象項目名】００１０
【補正方法】変更
【補正の内容】
【００１０】
本発明において、前記残り搬送区間における前記連続用紙の搬送量を、前記トラクターの動きに基づいて制御することが望ましい。このようにすると、残り搬送区間において紙送りローラーの滑りによる搬送誤差が加わることがない。
【手続補正４】
【補正対象書類名】明細書
【補正対象項目名】００１１
【補正方法】変更
【補正の内容】
【００１１】
あるいは、本発明において、前記残り搬送区間における前記連続用紙の搬送量を、前記紙送りローラーの回転量に基づいて制御してもよい。このようにすると、紙送りローラーの送り精度で残り搬送区間の搬送を行うことができる。また、この場合には、前記目標送り量に従って前記残り搬送区間の前記連続用紙の搬送を行った後に、前記残り搬送区間における前記連続用紙の実送り量を前記トラクターの動きに基づいて算出し、前記実送り量と前記目標送り量との差分を算出し、算出された前記差分に基づいて前記差分を解消するように前記目標送り量を補正することが望ましい。このようにすると、残り搬送区間で発生するわずかな搬送誤差を把握して次のページでそれを解消できるため、残り搬送区間における搬送誤差を少なくできると共に、その累積を防止できる。
【手続補正５】
【補正対象書類名】明細書
【補正対象項目名】００１３
【補正方法】変更
【補正の内容】
【００１３】
次に、本発明のプリンターは、
印刷位置で印刷を行う印刷ヘッドと、
ページを区切るページ区切り位置及び係合孔が設けられた連続用紙の前記係合孔に係合される係合部を有し、前記印刷ヘッドによる印刷位置を経由する搬送経路に沿って前記連続用紙を搬送するトラクターと、
前記トラクターの動きを検出するトラクター送り量検出手段と、
前記トラクターの搬送方向の下流側に設けられる紙送りローラーと、
前記紙送りローラーの回転量を検出するローラー送り量検出手段と、
前記ローラー送り量検出手段の検出信号に基づいて前記連続用紙の搬送量を制御し、前記紙送りローラーの搬送力で搬送される前記連続用紙の１のページに前記印刷ヘッドでの印刷を制御する印刷制御手段と、
前記１のページへの印刷が終了した後、前記トラクター送り量検出手段からの信号に基づいて前記１のページに続く次のページの印刷開始位置と前記印刷位置との距離が予め設定した基準寸法になる基準搬送位置に前記連続用紙が到達するまで前記連続用紙を搬送させ、前記基準搬送位置に前記連続用紙が到達したら、前記次のページの印刷開始位置が前記印刷位置に到達するまでの残り搬送区間の目標送り量を設定し、前記目標送り量に従って前記連続用紙を搬送させる頭出し制御手段を有することを特徴としている。
【手続補正６】
【補正対象書類名】明細書
【補正対象項目名】００１５
【補正方法】変更
【補正の内容】
【００１５】
本発明において、前記頭出し制御手段は、前記残り搬送区間の前記連続用紙の搬送量を、前記トラクター送り量検出手段からの信号に基づいて制御することが望ましい。このようにすると、残り搬送区間において紙送りローラーの滑りによる搬送誤差が加わることがない。
【手続補正７】
【補正対象書類名】明細書
【補正対象項目名】００１６
【補正方法】変更
【補正の内容】
【００１６】
あるいは、本発明において、前記頭出し制御手段は、前記残り搬送区間の前記連続用紙の搬送量を、前記ローラー送り量検出手段からの信号に基づいて制御してもよい。このようにすると、紙送りローラーの送り精度で残り搬送区間の搬送を行うことができる。また、この場合には、前記頭出し制御手段は、前記目標送り量に基づいて前記残り搬送区間の前記連続用紙の搬送を行った後に、前記残り搬送区間の前記連続用紙の実送り量を前記トラクター送り量検出手段からの信号に基づいて算出し、当該実送り量と前記目標送り量との差分を算出し、算出された前記差分に基づいて前記目標送り量を補正することが望ましい。このようにすると、残り搬送区間で発生するわずかな搬送誤差を把握して次のページで搬送誤差を解消できるため、残り搬送区間における搬送誤差を少なくできると共にその累積を防止できる。